(57)【要約】【課題】  ＥＭＩ対策を講じつつ部品点数の増加を抑制することが可能な再生機能付テレビジョン受像機を提供する。 【解決手段】  ロ−ダ基板１７に実装されており、ＤＶＤ再生装置１５の動作を制御するロ−ダ回路のうち、アナログ回路としてのロ−ダ回路のみを、メイン基板１４に実装させるようにすることにより、ブラウン管１２から離間させることができ、電磁波の影響を受け難くすることが可能となる。そのため、ＥＭＩ性能を維持させつつ、ロ−ダ基板１７を被覆するシ−ルドボックスが不要となり、部品点数を削減することが可能となる。【選択図】図２
0003110259.tif 000002
【実用新案登録請求の範囲】
【請求項１】
受信したテレビジョン放送電波に基づくテレビ映像をＣＲＴ表示装置に表示させるテレビ機能と、挿入されたＤＶＤに記憶されている映像デ−タを再生する映像再生機能とを有し、上記テレビ機能を実現させるテレビ回路が実装されるメイン基板と、上記映像再生機能を実現させるロ−ダ回路が実装されるロ−ダ基板と、上記ロ−ダ基板を電磁波から保護するシ−ルドボックスとを具備し、上記ロ−ダ基板が上記メイン基板上に立設する立ち基板であるＤＶＤ一体型テレビジョン受像機において、
上記ロ−ダ基板に実装されているロ−ダ回路のうち、アナログ回路を、上記メイン基板におけるブラウン管と電源回路との中間位置に実装させ、
上記シ−ルドボックスを省略したことを特徴とするＤＶＤ一体型テレビジョン受像機。
【請求項２】
受信したテレビジョン放送電波に基づくテレビ映像をＣＲＴ表示装置に表示させるテレビ機能と、挿入された光ディスクに記憶されている映像デ−タを再生する映像再生機能とを有し、上記テレビ機能を実現させるテレビ回路が実装されるメイン基板と、上記映像再生機能を実現させるロ−ダ回路が実装されるロ−ダ基板と、上記ロ−ダ基板を電磁波から保護するシ−ルドボックスとを具備し、上記メイン基板が、本体下部に水平方向に配置されるとともに、上記ロ−ダ基板が上記メイン基板上に立設する立ち基板である再生機能付テレビジョン受像機において、
上記ロ−ダ基板に実装されているロ−ダ回路の一部を、上記メイン基板に実装させ、
上記シ−ルドボックスを省略したことを特徴とする再生機能付テレビジョン受像機。
【請求項３】
上記メイン基板に実装させる上記ロ−ダ回路は、アナログ回路であることを特徴とする請求項２に記載の再生機能付テレビジョン受像機。
【請求項４】
上記メイン基板に実装される上記ロ−ダ回路は、同メイン基板におけるブラウン管および電源回路からの距離が等しい位置に配置されることを特徴とする請求項２または３に記載の再生機能付テレビジョン受像機。
【請求項５】
ＤＶＤを再生するＤＶＤ一体型テレビジョン受像機であることを特徴とする請求項２〜４のいずれかに記載の再生機能付テレビジョン受像機。
【考案の詳細な説明】
【技術分野】
【０００１】
本考案は、テレビジョン放送電波に基づくテレビ映像を表示させるテレビ機能を具備するとともに、ＤＶＤ（Digital Versatile Disk）やＣＤ−ＲＯＭ等の光ディスクに記憶された映像デ−タを再生する映像再生機能を具備する再生機能付テレビジョン受像機に関するものである。
【背景技術】
【０００２】
従来、電磁波による誤動作を防止する性能（ＥＭＩ性能）を向上させるために、電磁波に悪影響を受け易い回路等を金属製のシ−ルドで保護したり、回路の配置を工夫したりすることが行われている（例えば、特許文献１〜３参照）。
【０００３】
図４は、ＤＶＤ再生装置を一体化させたテレビジョン受像機（ＤＶＤ一体型テレビジョン受像機）におけるＥＭＩ対策を説明するための分解斜視図である。同図において、ＤＶＤ一体型テレビジョン受像機は、前面シャ−シ１の開口部にブラウン管２が配設されたＣＲＴテレビジョン受像機である。また、前面シャ−シ１の下部には、メイン基板４が配設された下面シャ−シ３が取り付けられる。このメイン基板４には、受信したテレビジョン放送電波に基づくテレビ映像を表示させるための各種の処理を行うテレビ回路が実装される。また、メイン基板４の上側であって、前面シャ−シ１におけるディスク挿入部の背面側には、ＤＶＤ再生装置５が取り付けられる。すなわち、メイン基板４とＤＶＤ再生装置５とは二階建て構造になっている。
【０００４】
メイン基板４の前面シャ−シ１側の右端部には、ＤＶＤ再生装置５の動作を制御し、ＤＶＤに記憶されている映像デ−タに対して各種の処理を行うロ−ダ回路が実装されたロ−ダ基板７が、メイン基板４に対して立設するように取り付けられる。すなわち、ロ−ダ基板７は、立ち基板として取り付けられるのである。このロ−ダ基板７は、ブラウン管２の背面側近傍に位置しており、ブラウン管２から電磁波の影響を受け易いので、金属製のシ−ルドボックス８により被覆し、電磁波を遮断するようにしている。
【特許文献１】特開２００４−１３４０１７号公報
【特許文献２】特開平１０−５００４３号公報
【特許文献２】特開平０９−１１６８３４号公報
【考案の開示】
【考案が解決しようとする課題】
【０００５】
しかしながら、図４を用いて示した従来のＤＶＤ一体型テレビジョン受像機では、シ−ルドボックス、このシ−ルドボックスをメイン基板上に固定するためのビス等が必要となるため、部品点数の増大し、コスト高となってしまう問題があった。
【０００６】
本考案は、かかる実情に鑑み、ＥＭＩ対策を講じつつ部品点数の増加を抑制することが可能な再生機能付テレビジョン受像機を提供しようとするものである。
【課題を解決するための手段】
【０００７】
上記目的を達成するため、請求項２にかかる考案は、受信したテレビジョン放送電波に基づくテレビ映像をＣＲＴ表示装置に表示させるテレビ機能と、挿入された光ディスクに記憶されている映像デ−タを再生する映像再生機能とを有し、上記テレビ機能を実現させるテレビ回路が実装されるメイン基板と、上記映像再生機能を実現させるロ−ダ回路が実装されるロ−ダ基板と、上記ロ−ダ基板を電磁波から保護するシ−ルドボックスとを具備し、上記ロ−ダ基板が上記メイン基板上に立設する立ち基板である再生機能付テレビジョン受像機において、
上記ロ−ダ基板に実装されているロ−ダ回路の一部を、上記メイン基板に実装させ、
上記シ−ルドボックスを省略した構成としてある。
【０００８】
上記のように構成した請求項２において、再生機能付テレビジョン受像機は、受信したテレビジョン放送電波に基づく映像を表示するテレビ機能と、挿入された光ディスクに記憶されている映像デ−タを再生する映像再生機能とを有するものであり、テレビ機能を実現させるテレビ回路が実装されるメイン基板と、映像再生機能を実現させるロ−ダ回路が実装されるロ−ダ基板とを具備している。
また、ロ−ダ基板を電磁波から保護するシ−ルドボックスを具備し、メイン基板が、本体下部に水平方向に配置されるとともに、ロ−ダ基板が、メイン基板上に立設する立ち基板である構成となっている。すなわち、ロ−ダ基板は、シ−ルドボックスにより電磁波から遮蔽される。ロ−ダ基板はメイン基板上に立設した配置となっているため、ロ−ダ基板は、前面側のブラウン管から放射される電磁波による影響を受け易い状態となっている。
【０００９】
しかし、請求項２にかかる考案の再生機能付テレビジョン受像機では、ロ−ダ基板に実装されているロ−ダ回路の一部をメイン基板に実装させ、上記シ−ルドボックスを省略した構成となっている。メイン基板は、立設したロ−ダ基板の下側に位置し、また、水平方向に配置されているため、メイン基板上にロ−ダ回路の一部を移動させることにより、移動されたロ−ダ回路は、ブラウン管から離れた位置となり、結果、ブラウン管からの電磁波の影響を低減させることが可能となる。このように、ロ−ダ回路の一部をメイン基板側に移動させ、電磁波の影響を低減させた状態でシ−ルドボックスを省略することにより、ＥＭＩ対策を講じつつ部品点数を削減することが可能となる。
【００１０】
また、請求項３にかかる考案は、上記メイン基板に実装させる上記ロ−ダ回路が、アナログ回路である構成としてある。
上記のように構成した請求項３にかかる考案において、アナログ回路は、電磁波による悪影響を受け易いため、このアナログ回路をメイン基板に移動させる構成とすることにより、よりＥＭＩ性能を向上させることが可能となる。
【００１１】
また、請求項４にかかる考案は、上記メイン基板に実装される上記ロ−ダ回路が、同メイン基板におけるブラウン管および電源回路からの距離が等しい位置に配置される構成としてある。
ロ−ダ回路が実装されるメイン基板上の位置としては、極力、ブラウン管から遠ざかる位置に設けることが望ましいが、電源回路の近傍にしてしまうと、その電源回路からの電磁波による影響を受けてしまう。そのため、請求項４の構成のように、ブラウン管と電源回路とからの距離が等しくなる位置に配置させることにより、メイン基板に実装されたロ−ダ回路が受ける影響を最小限にすることが可能となる。
【００１２】
また、請求項５にかかる考案は、再生機能付テレビジョン受像機が、ＤＶＤを再生するＤＶＤ一体型テレビジョン受像機である構成となっている。
上記のように構成した請求項５にかかる考案において、ＥＭＩ対策を講じつつ部品点数を削減することが可能なＤＶＤ一体型テレビジョン受像機とすることが可能となる。
【考案の効果】
【００１３】
本考案の請求項２にかかる考案では、ＥＭＩ対策を講じつつ部品点数を削減することが可能となる。
請求項３にかかる考案では、よりＥＭＩ性能を向上させることが可能となる。
請求項４にかかる考案では、メイン基板に実装されたロ−ダ回路が受ける影響を最小限にすることが可能となる。
請求項５にかかる考案では、ＥＭＩ対策を講じつつ部品点数を削減することが可能なＤＶＤ一体型テレビジョン受像機とすることが可能となる。
【考案を実施するための最良の形態】
【００１４】
以下、下記の順序に従って本考案の実施形態を説明する。
（１）ＤＶＤ一体型テレビジョン受像機の構成：
（２）メイン基板に実装されるロ−ダ回路：
（３）各種変形例：
（４）まとめ：
【００１５】
（１）ＤＶＤ一体型テレビジョン受像機の構成：
以下、本考案の実施形態について説明する。なお、以下においては、ＤＶＤ再生装置が内蔵されたＤＶＤ一体型テレビジョン受像機に本考案を適用する場合について説明するが、本考案は、光ディスクを再生することができるものであれば、これに限定されるもではなく、例えば、ＣＤ−ＲＯＭを再生することができるものであってもよい。
図１は、本考案にかかるＤＶＤ一体型テレビジョン受像機の構成を示す分解斜視図である。同図において、ＤＶＤ一体型テレビジョン受像機１０は、前面シャ−シ１１を備えている。この前面シャ−シ１１の下端部には、テレビジョン放送の選局、ＤＶＤの再生および録画、並びに、音量および画質の調整等の各種の操作を行うための操作スイッチ部１１ｂが設けられており、操作スイッチ部１１ｂの上側には、ＤＶＤの挿入口１１ａが形成されている。また、前面シャ−シ１１には、ブラウン管１２を取り付けるための開口部１１ｃが形成されている。ブラウン管１２は、その駆動時に電磁波を放出する。
【００１６】
また、前面シャ−シ１１の下部には、下面シャ−シ１３が取り付けられ、この下面シャ−シ１３上には、メイン基板１４が取り付けられる。さらに、メイン基板１４上であって、前面シャ−シ１１におけるＤＶＤの挿入口１１ａの背面側には、ＤＶＤ再生装置１５が取り付けられる。
ＤＶＤ再生装置１５には、ネジの取付部１５ｂが４個形成されており、メイン基板１４には、４つのネジ１５ａがそれぞれ挿通される透孔１４ｃが形成されている。さらに、下面シャ−シ１３ａには、ネジ穴を具備する突起部１３ａが４つ形成されている。ＤＶＤ再生装置１５は、メイン基板１４上に配置された後に、取付部１５ｂに４つのネジ１５ａがそれぞれ取り付けられるとともに、メイン基板１４の透孔１４ｃを挿通し、下面シャ−シ１３ａの突起部１３ａに螺号されて取り付けられる。すなわち、ネジ１５ａにより、ＤＶＤ再生装置１５、メイン基板１４および下面シャ−シ１３が共締めされるのである。これにより、メイン基板１４の上側にＤＶＤ再生装置１５が配置される２階建て構造となる。
【００１７】
上述したメイン基板１４には、受信したテレビジョン放送信号に基づくテレビ映像をブラウン管１２に表示させるための各種の処理を行うテレビ回路が実装される。このテレビ回路は、受信チャンネルの選択を行うチュ−ナ、ＲＦコンバ−タ、クロマ回路、水平偏向ドライバ、垂直偏向ドライバ等を含む。また、図１に示した電源回路１４ａもテレビ回路に含まれる。この電源回路１４ａは、作動中に高電圧になるため、電磁波を発生しやすい。
また、上述したＤＶＤ再生装置１５には、ロ−ディングモ−タ、アッセンブリ、キャリッジ、ＤＶＤに対して記録再生を行う光ヘッド、ＤＶＤを回転駆動するスピンドルモ−タ等の装置が、外部のケ−シング内に配設されている。
【００１８】
また、メイン基板１４における前面シャ−シ１１側の右端部には、ＤＶＤ再生装置１５の動作を制御するロ−ダ回路が実装されたロ−ダ基板１７が、メイン基板１４に対して立設する立ち基板として取り付けられている。実施形態にかかるＤＶＤ一体型テレビジョン受像機１０においては、先に図４を用いて示した従来のＤＶＤ一体型テレビジョン受像機とは異なり、ロ−ダ基板１７は、電磁波から遮断するためのシ−ルドボックスにより被覆されていない。
【００１９】
ＤＶＤ再生装置１５の動作を制御するロ−ダ回路は、ロ−ド／イジェクトの制御、記録／再生した映像信号処理を行う等、各種の電子回路を含むものであるが、本実施形態においては、これらのロ−ダ回路のうち、アナログ回路のみを、メイン基板１４上に移動させるのである。すなわち、立ち基板としてのロ−ダ基板１７に実装されるロ−ダ回路をデジタル回路（例えば、ＤＳＰ（デジタルシグナルプロセッサ；デジタル信号処理回路）等）のみとし、アナログ回路をメイン基板に実装させるのである。このメイン基板１４に移動させるアナログ回路としては、例えば、ＤＶＤ再生装置１５における駆動系（ロ−ディングモ−タ、キャリッジモ−タ、スピンドルモ−タ等）の駆動制御を行うドライバ系回路や、Ｄ／Ａ変換回路等を挙げることができる。
本実施形態においては、電磁波により影響を受け易いアナログ回路を、立ち基板としてのロ−ダ基板１７からメイン基板１４に移動させることにより、ブラウン管１２から遠ざけることが可能となるため、ロ−ダ基板１７を被覆するシ−ルドボックスを省略しつつ、ＥＭＩ対策を講じることが可能となる。
【００２０】
（２）メイン基板に実装されるロ−ダ回路：
図２は、上述したアナログ回路としてのロ−ダ回路がメイン基板上に実装される位置を説明するための説明図である。なお、図２においては、メイン基板１４上に配置されるＤＶＤ再生装置１５を省略している。同図において、ＤＶＤ一体型テレビジョン受像機１０が組み立てられた状態で、ブラウン管１２は、メイン基板１４の前側（図２においては左側）に位置している。また、電源回路１４ａは、メイン基板１４の後方右側（図２においては右下側）に設置されている。
【００２１】
上述したブラウン管１２および電源回路１４ａは、共に高出力装置であり、ロ−ダ回路を実装する位置がこれらに近い場合には、電磁波の影響を受け易くなってしまう。そのため、実施形態においては、ブラウン管１２および電源回路１４ａからの距離が等しい位置であって、且つ、ブラウン管１２および電源回路１４ａから最も離間した位置（図中Ａにて示した位置）に、ロ−ダ回路を実装させるようにしている。このようにすることにより、ロ−ダ回路が受ける電磁波の影響を最小限にすることが可能となる。なお、ロ−ダ基板１７に実装されているデジタル回路としてのロ−ダ回路から余り離間させないようにするため、図中、ＢまたはＣの位置にアナログ回路としてのロ−ダ回路を実装させるようにしてもよい。図中、ＢおよびＣは、共にブラウン管１２および電源回路１４ａから等距離にある。
【００２２】
（３）各種変形例：
図３は、変形例にかかるＤＶＤ一体型テレビジョン受像機において、アナログ回路としてのロ−ダ回路がメイン基板上に実装される位置を説明するための説明図である。ＤＶＤ再生装置１５を構成する各種装置、回路のうち、ＤＶＤの記録および再生を行うための光ピックアップ（図示せず）は、特に電磁波の影響を受け易い装置であるため、同図に示すように、ピック保護シ−ト２０を設けて、電磁波を遮蔽するようにしている。この変形例では、ピック保護シ−ト２０の略真下の位置（図中、Ｄにて示す位置）にアナログ回路としてのロ−ダ回路を実装させることにより、図中、同ロ−ダ回路が破線にして示す電磁波に曝され難くなる。そのため、ＥＭＩ性能により優れたＤＶＤ一体型テレビジョン受像機とすることが可能となる。
【００２３】
上述した実施形態においては、ロ−ダ基板に実装されるロ−ダ回路のうち、アナログ回路のみをメイン基板に移動させるようにした場合について説明したが、メイン基板上のスペ−スに余裕があれば、ロ−ダ基板に実装されるロ−ダ回路の全てをメイン基板に移動させ、更に、ロ−ダ基板を省略するようにしてもよい。
【００２４】
（４）まとめ：
以上説明したように、実施形態にかかるＤＶＤ一体型テレビジョン受像機１０によれば、ロ−ダ基板１７に実装されており、ＤＶＤ再生装置１５の動作を制御するロ−ダ回路のうち、アナログ回路としてのロ−ダ回路のみを、メイン基板１４に実装させるようにすることにより、ブラウン管１２から離間させることができ、電磁波の影響を受け難くすることが可能となる。そのため、ＥＭＩ性能を維持させつつ、ロ−ダ基板１７を被覆するシ−ルドボックスが不要となり、部品点数を削減することが可能となる。
【図面の簡単な説明】
【００２５】
【図１】ＤＶＤ一体型テレビジョン受像機の構成を示す分解斜視図である。
【図２】アナログ回路としてのロ−ダ回路がメイン基板上に実装される位置を説明するための説明図である。
【図３】変形例にかかるＤＶＤ一体型テレビジョン受像機において、アナログ回路としてのロ−ダ回路がメイン基板上に実装される位置を説明するための説明図である。
【図４】従来例にかかるＤＶＤ一体型テレビジョン受像機におけるＥＭＩ対策を説明するための分解斜視図である。
【符号の説明】
【００２６】
１、１１…前面シャ−シ
２、１２…ブラウン管
３、１３…下面シャ−シ
４、１４…メイン基板
５、１５…ＤＶＤ再生装置
７、１５…ロ−ダ基板
８…シ−ルドボックス
１０…ＤＶＤ一体型テレビジョン受像機
１１ａ…挿入口
１１ｂ…操作スイッチ部
１３ａ…突起部
１４ａ…電源回路
１４ｂ…プラグ
１４ｃ…透孔
１５ａ…ネジ
１５ｂ…ネジ取付部
【図１】
0003110259.tif 000003
【図２】
0003110259.tif 000004
【図３】
0003110259.tif 000005
【図４】
0003110259.tif 000006